(57)【要約】【課題】片手だけの操作で、ペットの糞等を袋内に回収でき、しかも、楽に持ち運びができる、ペット用糞便処理袋を提供する。【解決手段】上部に開口部ｈを有する袋１であって、底部２と、底部２の周囲を囲う側周面３とを備え、袋１の開口部ｈを形成する上縁部１ａに紐４が通されており、側周面３が蛇腹になっており、且つ、通常は、蛇腹が折り畳まれた状態になっており、袋１内に、ペットＰの糞ｄを収容した後、紐４を持つと、側周面３の蛇腹が、ペットＰの糞ｄの重さにより伸びた状態になると同時に、紐４により、袋１の開口部ｈが閉じられた状態になるようにされている。【選択図】図１
2007159423.tif 000002
【特許請求の範囲】
【請求項１】
上部に開口部を有する袋であって、
底部と、
前記底部の周囲を囲う側周面とを備え、
前記袋の開口部を形成する上縁部に紐が通されており、
前記側周面が蛇腹になっており、且つ、通常は、蛇腹が折り畳まれた状態になっており、
前記袋内に、ペットの糞等を収容した後、前記紐を持つと、前記側周面の蛇腹が、前記ペットの糞等の重さにより伸びた状態になると同時に、前記紐により、前記袋の開口部が閉じられた状態になるようにされている、ペット用糞便処理袋。
【請求項２】
前記袋が、不織布又は不織紙で形成されている、請求項１に記載のペット用糞便処理袋。
【請求項３】
不織布又は不織紙全体に、エンボス加工が施されている、請求項２に記載のペット用糞便処理袋。
【発明の詳細な説明】
【技術分野】
【０００１】
本発明は、ペット用糞便処理袋に関し、特に、片手だけの操作で、ペットの糞等を袋内に回収でき、しかも、楽に持ち運びができる、ペット用糞便処理袋に関する。
【背景技術】
【０００２】
ペットの排泄物収納器としては、例えば、図１０に示すものが既に提案されている。
【０００３】
このペットの排泄物収納器１０１は、開口部を有する筒状体として形成されたホルダ−１０２と、容易に窄み得る開口部を有し排泄物の収納が可能な排泄物収納袋１０３と、ホルダ−１０２を保持するための支持部材１０４とを備え、排泄物収納袋１０３が、ホルダ−１０２の開口部の周縁に形成されたすべり止め（図示せず。）によって、ホルダ−１０２に開口状態で係止され、ホルダ−１０２が支持部材１０４に結合されて支持されている。
【０００４】
また、ペット用糞便処理袋としては、例えば、図１１に示すものが既に提案されている。
【０００５】
このペット用糞便処理袋２０１は、使用時以外は、持ち運びに便利なように、折畳まれて、小さくされており（図１１（ａ）を参照。）、使用時には、立体的な容器にして使用するようにされている（図１１（ｂ）を参照。）。また、この袋２０１は、上端に通された紐２０２の操作で、袋２０１が閉じられるようにされている。
【０００６】
この袋２０１は、図１２に示すように、例えば、収納器付き糞便処理装置２０３に取り付けて使用するものである。
【０００７】
また、ペット用糞尿収容器具３０１としては、例えば、図１３に示すものが既に提案されている。
【０００８】
このペット用糞尿収容器具３０１は、器具本体３０２と、ビニール製の収容袋３０３とを備える。
【０００９】
器具本体３０２は、プラスチック製の円筒形のリング部３０４を有しており、リング部３０４の一方の円周端部３０４ａには、４個の係合突起３０５、３０５、３０５、３０５が設けられている。
【００１０】
また、リング部３０４の側面には、棒状の把持部３０６が円周端部に対して約２０゜傾斜して設けられている。
【００１１】
また、収容袋３０３には、係合突起３０５、３０５、３０５、３０５に対応する位置に孔ｈｃが設けられている。
【００１２】
そして、収容袋３０３は、リング部３０４の円形空間Ｒを通して配置され、開口部側の孔の下側を境として外側に折り返され、折り返し部３０３ａをリング部３０４の外周円に重ねつつ、孔ｈｃを係合突起３０５、３０５、３０５、３０５に係合させて使用するものである。
【特許文献１】特開平８−２３８１３号公報
【特許文献２】特開平８−１８２４４０号公報
【特許文献３】特開平８−８４５４２号公報
【発明の開示】
【発明が解決しようとする課題】
【００１３】
しかしながら、上述したような、従来のペットの排泄物収納器１０１は、ペットを散歩に連れて行く際に、支持部材１０４を持って行かなければならない。
【００１４】
また、従来のペット用糞便処理袋２０１は、ペットを散歩に連れて行く際に、収納器付き糞便処理装置２０３を持って行かなければならない。
【００１５】
また、ペット用糞尿収容器具３０１は、ペットを散歩に連れて行く際に、器具本体３０２を持って行かなければならない。
【００１６】
飼い主等は、ペットを散歩に連れて行く際には、通常、ペット（例えば、犬）を繋いでおくためのリードを一方の手に持っている。
【００１７】
このため、従来のペットの排泄物収納器１０１、従来のペット用糞便処理袋２０１又は従来のペット用糞尿収容器具３０１を使用する際には、他方の手に、支持部材１０４、収納器付き糞便処理装置２０３又器具本体３０４を持つことになるため、両手が塞がった状態になる。
【００１８】
また、従来のペットの排泄物収納器１０１は、ペット（例えば、犬）の糞を排泄物収納袋１０３内に収容する前に、排泄物収納袋１０３をホルダ−１０２に開口状態で係止する必要がある。
【００１９】
また、従来のペット用糞便処理袋２０１は、折り畳まれている袋２０１を、使用時には、立体的な容器にする必要がある。
【００２０】
また、従来のペット用糞尿収容器具３０１は、収容袋３０３を、リング部３０４の円形空間Ｒを通して配置し、開口部側の孔の下側を境として外側に折り返し、折り返し部３０３ａをリング部３０４の外周円に重ねつつ、孔ｈｃを係合突起３０５、３０５、３０５、３０５に係合させて使用する必要がある。
【００２１】
ところで、飼い主等は、ペット（例えば、犬）が、散歩の途中、何処で、何時、糞をするかが判らないことがある。
【００２２】
そして、従来のペットの排泄物収納器１０１は、ペット（例えば、犬）の糞を、排泄物収納袋１０３内に収容する前に、排泄物収納袋１０３を支持部材１０４に取り付けるといった作業が必要になる。
【００２３】
また、従来のペット用糞便処理袋２０１は、ペット（例えば、犬）の糞を、このペット用糞便処理袋２０１内に収容する前に、折畳まれて、小さくされているペット用糞便処理袋２０１を立体的な容器にする必要がある。
【００２４】
また、従来のペット用糞尿収容器具３０１は、ペット（例えば、犬）の糞を、収容袋３０３内に収容する前に、収容袋３０３は、リング部３０４の円形空間Ｒを通して配置され、開口部側の孔の下側を境として外側に折り返され、折り返し部３０３ａをリング部３０４の外周円に重ねつつ、孔ｈｃを係合突起３０５、３０５、３０５、３０５に係合させる必要がある。
【００２５】
即ち、従来のペットの排泄物収納器１０１、従来のペット用糞便処理袋２０１、及び、従来のペット用糞尿収容器具３０１は、いずれも、使用する際に、所定の作業が、必要なものであるため、場合によっては、ペット（例えば、犬）を飼い主等の元に繋いでおくためのリードを持っている、一方の手を、その作業にために使用せざるを得ない場合があり、このような場合に、飼い主等が、リードを一時的に一方の手から離すと、ペット（例えば、犬）が、突然、飼い主等の元から逃げ出すような場合がある。
【００２６】
本発明は、以上のような問題を解決するためになされたものであって、従来のペットの排泄物収納器１０１、従来のペット用糞便処理袋２０１又はペット用糞尿収容器具３０１のように、ペットを散歩に連れて行く際に、支持部材１０４、収納器付き糞便処理装置２０３又は器具本体３０２を持って行く必要が無く、持ち運びが楽で、片手だけで、ペット（例えば、犬）の糞を袋内に収容でき、また、そのまま廃棄できる、ペット用糞便処理袋を提供することを目的としている。
【課題を解決するための手段】
【００２７】
請求項１に記載のペット用糞便処理袋は、上部に開口部を有する袋であって、底部と、底部の周囲を囲う側周面とを備え、袋の開口部を形成する上縁部に紐が通されており、側周面が蛇腹になっており、且つ、通常は、蛇腹が折り畳まれた状態になっており、袋内に、ペットの糞等を収容した後、紐を持つと、側周面の蛇腹が、ペットの糞等の重さにより伸びた状態になると同時に、紐により、袋の開口部が閉じられた状態になるようにされている。
【００２８】
請求項２に記載のペット用糞便処理袋は、請求項１に記載のペット用糞便処理袋の、袋が、不織布又は不織紙で形成されている。
【００２９】
請求項３に記載のペット用糞便処理袋は、請求項２に記載のペット用糞便処理袋の、不織布又は不織紙全体に、エンボス加工が施されている。
【発明の効果】
【００３０】
請求項１に記載のペット用糞便処理袋は、ペットを散歩に連れて行く際に、飼い主等は、支持部材、収納器付き糞便処理装置又は把持部のついた器具本体を持って行く必要が無い。
【００３１】
また、このペット用糞便処理袋は、通常は、蛇腹が折り畳まれた状態になっており、その容積が小さいので、楽に持ち運べる。
【００３２】
また、ペットの糞等を袋に収容する際には、飼い主等は、ペットが糞等をするためにかがんだ際に、蛇腹が折り畳まれた状態になっているペット用糞便処理袋を、そのまま、その袋の開口部がペットの肛門の下方位置の地面等上に置くという作業を行うだけで、袋の中に、ペットの糞等を収容できるので、ペット（例えば、犬）を繋いでおくためのリードを持っている、一方の手を、リードから離す必要がない。
【００３３】
即ち、このペット用糞便処理袋を用いれば、ペットの糞等を袋に収容する際に、飼い主等は、リードから手を離す必要が無いので、ペットの糞等を袋に収容する際に、リードから手を離すことにより、ペット（例えば、犬）が、突然、飼い主等の元から逃げ出すような事態が生じない。
【００３４】
また、このペット用糞便処理袋では、ペットの糞等を袋に収容した後、飼い主等が、紐を持つと、側周面の蛇腹が、ペットの糞等の重さにより伸びた状態になると同時に、紐により、袋の開口部が閉じられた状態になるようにされているので、ペットの糞等が袋内に封をされた状態になる。
【００３５】
即ち、このペット用糞便処理袋を用いれば、飼い主等は、袋内に回収した、ペットの糞等を、臭いを気にせずに、スマートに家に持ち帰ることができる。
【００３６】
尚、請求項２又は請求項３に記載のペット用糞便処理袋は、請求項１に記載のペット用糞便処理袋の材質として好ましい材質を規定するものであり、請求項２又は請求項３に記載のペット用糞便処理袋では、請求項１に記載のペット用糞便処理袋の材質として好ましい材質を選択しているので、通常は、蛇腹が折り畳まれた状態になっており、袋内に、ペットの糞等を収容した後、紐を持つと、側周面が蛇腹が、ペットの糞等の重さにより伸びた状態になると同時に、紐により、袋の開口部が閉じられた状態になるようにされている、袋を実現できる。
【発明を実施するための最良の形態】
【００３７】
以下、本発明に係るペット用糞便処理袋の一例を、図面を参照しながら、更に、詳しく説明する。
【００３８】
図１は、本発明に係るペット用糞便処理袋の一例の通常の状態を摸式的に示す斜視図である。
【００３９】
このペット用糞便処理袋１は、上部に開口部ｈを有する。
【００４０】
この袋１は、底部２と、底部２の周囲を囲う側周面３とを備える。
【００４１】
袋１の開口部ｈを形成する上縁部１ａには、紐４が通されている。
【００４２】
また、この袋１は、その側周面３が蛇腹になっている。
【００４３】
このペット用糞便処理袋１は、通常は、図１に示すように、側周面３に形成されている蛇腹が折り畳まれた状態になっている。
【００４４】
次に、このペット用糞便処理袋１の製造方法を例示的に説明する。
【００４５】
図２（ａ）は、ペット用糞便処理袋１の製造する際に用いる、不織布（又は不織紙）の好ましい一例を摸式的に示す平面図であり、又、図２（ｂ）は、図２（ａ）に示す、不織布（又は不織紙）の一部を、図２（ａ）中、ＩＩ−ＩＩ線に従って切断したものを拡大して摸式的に示す断面図である。
【００４６】
尚、不織布（又は不織紙）３ｒとしては、特に以下の場合に限定されることはないが、例えば、その全面に、エンボス加工が施されているものや、ラミネート構造を有するものや、これらを組み合わせたもの等を、好ましい例として挙げることができる。
【００４７】
このペット用糞便処理袋１の製造する際には、図２（ａ）及び図２（ｂ）に示すような、不織布（又は不織紙）３ｒを準備する。
【００４８】
より詳しく説明すると、この例では、例えば、不織布（又は不織紙）３ｒとして、その全面に、複数の両面雌雄エンボス部３ｅ・・・を形成したものを用いている。
【００４９】
この例では、複数の両面雌雄エンボス部３ｅ・・・の各々は、所定の長さＬ３ｅを有しており、複数の両面雌雄エンボス部３ｅ・・・の、相隣接する両面雌雄エンボス部３ｅと、両面雌雄エンボス部３ｅとの間には、エンボスが形成されていない部分ｓｐａ・・・が、所定の幅を有するようにして、直線状に形成されている。
【００５０】
次に、不織布（又は不織紙）３ｒの全面の両面に、複数の両面雌雄エンボス部３ｅ・・・を形成する方法を例示的に説明する。
【００５１】
図３は、不織布（又は不織紙）３ｒの全面の両面に、複数の両面雌雄エンボス部３ｅ・・・の各々を形成する際に用いるエンボス加工装置の一例の要部を中心にして概略的に示す図であり、図３（ａ）は、エンボス加工装置の一例の要部を中心にして概略的に示す断面図であり、図３（ｂ）は、図３（ａ）に示すエンボス加工装置の上側エンボス加工用歯車要部を中心にして概略的に示す平面図であり、又、図３（ｃ）は、図３（ａ）に示すエンボス加工装置の下側エンボス加工用歯車を中心にして概略的に示す平面図である。
【００５２】
このエンボス加工装置１１は、複数の歯１２ａ・・・を有する上側エンボス加工用歯車１２と、複数の歯１３ａ・・・を有する下側エンボス加工用歯車１３とを備える。
【００５３】
上側エンボス加工用歯車１２に設けられている複数の歯１２ａ・・・の各々の長さＬ１２ａ・・・の各々は、図２（ａ）に示す両面雌雄エンボス部３ｅ・・・の各々の長さＬ３ｅに実質的に等しい長さになっている（Ｌ１２ａ＝Ｌ３ｅ）。
【００５４】
また、上側エンボス加工用歯車１２に設けられている複数の歯１２ａ・・・の中、相隣り合う歯と歯との間の隙間ｓｐｂの長さＬｓｐｂは、図２（ａ）に示すエンボスが形成されていない部分ｓｐａ・・・の各々の長さＬｓｐａに実質的に等しい長さになっている（Ｌｓｐｂ＝Ｌｓｐａ）。
【００５５】
下側エンボス加工用歯車１３に設けられている複数の歯１３ａ・・・の各々の長さＬ１２ａ・・・の各々は、図２（ａ）に示す両面雌雄エンボス部３ｅ・・・の各々の長さＬ３ｅに実質的に等しい長さになっている（Ｌ１３ａ＝Ｌ３ｅ）。
【００５６】
また、下側エンボス加工用歯車１３に設けられている複数の歯１３ａ・・・の中、相隣り合う歯と歯との間の隙間ｓｐｃの長さＬｓｐｃは、図２（ａ）に示すエンボスが形成されていない部分ｓｐａ・・・の各々の長さＬｓｐａに実質的に等しい長さになっている（Ｌｓｐｃ＝Ｌｓｐａ）。
【００５７】
上側エンボス加工用歯車１２と、下側エンボス加工用歯車１３とは、上側エンボス加工用歯車１２と、下側エンボス加工用歯車１３との間の間隔が、エンボス加工を施す不織布（又は不織紙）３ｒｍの厚さよりやや狭い間隔を隔てるように、また、上側エンボス加工用歯車１２の複数の歯１２ａ・・・と、下側エンボス加工用歯車１３の複数の歯１３ａ・・・とが、上側エンボス加工用歯車１２と、下側エンボス加工用歯車１３とが、最も接近する場所において、互い違いにくる関係になるように位置するように調整されている。
【００５８】
エンボス加工を施す不織布（又は不織紙）３ｒｍに、エンボス加工を施す際には、上側エンボス加工用歯車１２を、図３（ａ）中、矢印Ａｒ１方向に所定の速度で回転し、下側エンボス加工用歯車１３を、図３（ａ）中、矢印Ａｒ２方向に所定の速度で回転し、不織布（又は不織紙）３ｒｍを、上側エンボス加工用歯車１２に設けられている複数の歯１２ａ・・・と、下側エンボス加工用歯車１３に設けられている複数の歯１３ａ・・・とを用い、また、エンボス加工を施す不織布（又は不織紙）３ｒｍに所定の熱を加えることにより、エンボス加工を施す。
【００５９】
また、不織布（又は不織紙）３ｒの全面の片面にのみ、複数のエンボス部３ｅ・・・を形成するようにしても良い。
【００６０】
図４は、不織布（又は不織紙）３ｒの全面の片面に、複数のエンボス部３ｅ・・・の各々を形成する際に用いるエンボス加工装置の一例の要部を中心にして概略的に示す図であり、図４（ａ）は、エンボス加工装置の一例の要部を中心にして概略的に示す断面図であり、図４（ｂ）は、図４（ａ）に示すエンボス加工装置の上側エンボス加工用歯車要部を中心にして概略的に示す平面図であり、又、図４（ｃ）は、図４（ａ）に示すエンボス加工装置の下側エンボス加工用ローラを中心にして概略的に示す平面図である。
【００６１】
尚、このエンボス加工装置１１Ａは、図３に示すエンボス加工装置１１とは、下側エンボス加工用歯車１３の代わりに、下側エンボス加工用ローラ１３Ａが用いられている以外は、エンボス加工装置１１と同様の構成であるので、エンボス加工装置１１Ａの構成部材中、エンボス加工装置１１の構成部材に相当する構成部材については、エンボス加工装置１１の構成部材に付した参照符号を付して、その説明を省略する。
【００６２】
このエンボス加工装置１１Ａを用いて、エンボス加工を施す不織布（又は不織紙）３ｒｍの前面の片面に、エンボス加工を施す際には、上側エンボス加工用歯車１２を、図４（ａ）中、矢印Ａｒ１方向に所定の速度で回転し、下側エンボス加工用ローラ１３を、図４（ａ）中、矢印Ａｒ２方向に所定の速度で回転し、エンボス加工を施す不織布（又は不織紙）３ｒｍを、上側エンボス加工用歯車１２に設けられている複数の歯１２ａ・・・と、下側エンボス加工用ローラ１３Ａの側周面１３ｓとを用い、また、エンボス加工を施す不織布（又は不織紙）３ｒｍに所定の熱を加えることにより、エンボス加工を施す。
【００６３】
また、図５（ａ）は、不織布（又は不織紙）３ｒの全面の両面に、複数の両面雌雄エンボス部３ｅ・・・の各々を形成すると同時に、ポリエチレンその他の樹脂膜を不織布（又は不織紙）３ｒに形成し、ラミネート構造とすることで、エンボス加工された、不織布（又は不織紙）３ｒに防水加工を施す工程を例示的に示しており、また、図５（ｂ）は、不織布（又は不織紙）３ｒの全面の片面に、エンボス部３ｅ・・・の各々を形成すると同時に、ポリエチレンその他の樹脂膜を不織布（又は不織紙）３ｒに形成し、ラミネート構造とすることで、エンボス加工された、不織布（又は不織紙）３ｒに防水加工を施す工程を例示的に示している。
【００６４】
不織布（又は不織紙）３ｒの全面の両面に、複数の両面雌雄エンボス部３ｅ・・・の各々を形成すると同時に、ポリエチレンその他の樹脂膜を不織布（又は不織紙）３ｒに形成し、ラミネート構造にする際には、図５（ａ）に示すように、エンボス加工装置１１を用いて、エンボス加工を施す不織布（又は不織紙）３ｒｍの全面の両面に、複数の両面雌雄エンボス部３ｅ・・・の各々を形成する際に、ポリエチレンその他の樹脂シートｅｒと、エンボス加工を施す不織布（又は不織紙）３ｒｍとを、上側エンボス加工用歯車１２と、下側エンボス加工用歯車１３との間に送り込むと同時に、エンボス加工を施す不織布（又は不織紙）３ｒｍとポリエチレンその他の樹脂シートｅｒとに所定の熱を加えることにより、エンボス加工を施す不織布（又は不織紙）３ｒｍとポリエチレンその他の樹脂シートｅｒとを熱圧着すると同時に、エンボス加工を施す。
【００６５】
また、不織布（又は不織紙）３ｒの全面の片面に、複数のエンボス部３ｅ・・・の各々を形成すると同時に、ポリエチレンその他の樹脂膜を不織布（又は不織紙）３ｒに形成し、ラミネート構造にする際には、図５（ｂ）に示すように、エンボス加工装置１１Ａを用いて、エンボス加工を施す不織布（又は不織紙）３ｒｍの全面の片面に、複数のエンボス部３ｅ・・・の各々を形成する際に、ポリエチレンその他の樹脂シートｅｒと、エンボス加工を施す不織布（又は不織紙）３ｒｍとを、上側エンボス加工用歯車１２と、下側エンボス加工用ローラ１３Ａとの間に送り込むと同時に、エンボス加工を施す不織布（又は不織紙）３ｒｍとポリエチレンその他の樹脂シートｅｒとに所定の熱を加えることにより、エンボス加工を施す不織布（又は不織紙）３ｒｍとポリエチレンその他の樹脂シートｅｒとを熱圧着すると同時に、エンボス加工を施す。
【００６６】
尚、図５（ａ）及び図５（ｂ）の各々では、不織布（又は不織紙）３ｒの片面に、樹脂膜を形成した例を示したが、不織布（又は不織紙）３ｒの表面と裏面の各々に樹脂膜を形成したラミネート構造（即ち、樹脂膜、不織布（又は不織紙）３ｒ、樹脂膜のように、不織布（又は不織紙）３ｒを２枚の樹脂膜で挟み込んだサンドイッチ構造）にするようにしてもよい。
【００６７】
次に、不織布（又は不織紙）３ｒに、蛇腹の折り目加工を施す（図６を参照。）。
【００６８】
不織布（又は不織紙）３ｒに、蛇腹の折り目加工は、図２（ａ）に示す、エンボスが形成されていない部分ｓｐａ・・・の各々に沿って、相隣り合う折り目が、一方が山になるように、他方が谷となるように、交互に折り曲げることによって形成する。
【００６９】
尚、図６では、複数のエンボス部については、図示するのを省略しているが、不織布（又は不織紙）３ｒには、実際には、図２（ａ）に示すような、複数のエンボス部３ｅ・・・が形成されている。
【００７０】
次に、蛇腹の折り目加工を施した不織布（又は不織紙）３ｒを伸ばした状態にし、不織布（又は不織紙）３ｒの一方の側面の糊付け部ｒｐａに糊を付ける（図７を参照。）。
【００７１】
次に、糊を付けた糊付け部ｒｐａを、不織布（又は不織紙）３ｒの他方の側面の糊付け部ｒｐｂに貼り合わせて、円柱形状の側周面３を形成する。
【００７２】
次に、底部２を用意し、円柱形状の側周面３に底部２を形成する。
【００７３】
底部２の材料は、特に限定されることはなく、織布であっても、不織布（不織紙）であってもよい。
【００７４】
次に、図８（ａ）に示すように、円柱形状の袋１の開口部ｈを形成する上縁部１ａに紐４を通す。
【００７５】
この時、紐４は、上縁部の一方の表面から他方の表面へ、他方の表面から一方の表面へと挿通するようにするのが好ましい。
【００７６】
次に、側周面３の蛇腹を折り畳んだ状態にする（図８（ｂ）を参照。）。
【００７７】
次に、このペット用糞便処理袋１の使用法を例示的に説明する。
【００７８】
図９は、ペット用糞便処理袋１の使用法の一例を説明する説明図である。
【００７９】
図９（ａ）は、飼い主等Ｏが、ペット（例えば、犬）Ｐを散歩に連れて行き、ペット（例えば、犬）Ｐが、散歩の途中、糞ｄをするためにかがんだ際の状態を摸式的に示している。
【００８０】
図９（ａ）中、Ｌで示す部材は、ペット（例えば、犬）Ｐを飼い主等の元に繋ぎとめておくためにリードを示している。
【００８１】
飼い主等Ｏは、ペット（例えば、犬）Ｐが、散歩の途中、糞ｄをするためにかがんだ際、蛇腹が折り畳まれた状態になっているペット用糞便処理袋１を、そのまま、その袋１の開口部ｈがペット（例えば、犬）Ｐの肛門の下方位置の地面等上に置く。
【００８２】
そして、ペット（例えば、犬）Ｐに、袋１の底部２上に、糞ｄをさせる（図９（ｂ）を参照）。
【００８３】
その後、飼い主等Ｏが、紐４を持つと、側周面３の蛇腹が、ペット（例えば、犬）Ｐの糞ｄの重さにより伸びた状態になると同時に、紐４により、袋１の開口部ｈが閉じられた状態になる（図９（ｃ）を参照）。
【００８４】
このペット用糞便処理袋１は、ペット（例えば、犬）Ｐを散歩に連れて行く際に、飼い主等Ｏは、支持部材、収納器付き糞便処理装置又は把持部のついた器具本体等を持って行く必要が無い。
【００８５】
また、このペット用糞便処理袋１は、通常は、その側周面３の蛇腹が折り畳まれた状態になっており、その容積が小さいので、楽に持ち運べる。
【００８６】
また、ペット（例えば、犬）Ｐの糞ｄを袋１に収容する際には、ペット（例えば、犬）が糞ｄをするためにかがんだ際に、蛇腹が折り畳まれた状態になっているペット用糞便処理袋１を、そのまま、その袋１の開口部ｈがペット（例えば、犬）Ｐの肛門の下方位置の地面等上に置くという作業を行うだけで、袋１の中に、ペット（例えば、犬）Ｐの糞ｄを収容できるので、飼い主等Ｏは、ペット（例えば、犬）Ｐを繋いでおくためのリードＬを持っている、一方の手を、リードＬから離す必要がない。
【００８７】
即ち、このペット用糞便処理袋１を用いれば、ペット（例えば、犬）Ｐの糞ｄを袋１に収容する際に、飼い主等Ｏは、リードＬから手を離す必要が無いので、ペット（例えば、犬）Ｐの糞ｄを袋１に収容する際に、飼い主等Ｏが、リードＬから手を離すことにより、ペット（例えば、犬）Ｐが、突然、飼い主等Ｏの元から逃げ出すような事態が生じない。
【００８８】
また、このペット用糞便処理袋１では、ペット（例えば、犬）Ｐの糞ｄを袋１に収容した後は、飼い主等Ｏが、紐４を持つと、側周面３の蛇腹が、ペット（例えば、犬）Ｐの糞ｄの重さにより伸びた状態になると同時に、紐４により、袋１の開口部ｈが閉じられた状態になるようにされているので、ペット例えば、犬）Ｐの糞ｄが袋１内に封をされた状態になる。
【００８９】
即ち、このペット用糞便処理袋１を用いれば、飼い主等Ｏは、袋１内に回収した、ペット（例えば、犬）Ｐの糞ｄを、臭いを気にせずに、スマートに家に持ち帰ることができる。
【００９０】
また、不織布（又は不織紙）３ｒに、ポリエチレンその他の樹脂膜を形成し、ラミネート構造とすることで、不織布（又は不織紙）３ｒに防水機能を付与するようにすれば、仮に、ペット（例えば、犬）Ｐが下痢等の症状を有しており、糞ｄが、水分を含んでいる軟便であるような場合や、液状の便であっても、ペット用糞便処理袋１内に、そのような糞（水分を含んでいる軟便であるような場合や、液状の便）ｄを収容後、ペット用糞便処理袋１が液漏れ現象を起こすことがない。
【産業上の利用可能性】
【００９１】
本発明に係るペット用糞便処理袋は、片手だけの操作で、ペットの糞等を袋内に回収でき、しかも、楽に持ち運びができるので、産業上の利用可能性が高い。
【図面の簡単な説明】
【００９２】
【図１】本発明に係るペット用糞便処理袋の一例の通常の状態を摸式的に示す斜視図である。
【図２】図１に示すペット用糞便処理袋の側周面を形成する材料を模式的に示す平面図である。
【図３】不織布（又は不織紙）の全面の両面に、複数の両面雌雄エンボス部の各々を形成する際に用いるエンボス加工装置の一例の要部を中心にして概略的に示す図であり、図３（ａ）は、エンボス加工装置の一例の要部を中心にして概略的に示す断面図であり、図３（ｂ）は、図３（ａ）に示すエンボス加工装置の上側エンボス加工用歯車要部を中心にして概略的に示す平面図であり、又、図３（ｃ）は、図３（ａ）に示すエンボス加工装置の下側エンボス加工用歯車を中心にして概略的に示す平面図である。
【図４】不織布（又は不織紙）の全面の片面に、複数のエンボス部の各々を形成する際に用いるエンボス加工装置の一例の要部を中心にして概略的に示す図であり、図４（ａ）は、エンボス加工装置の一例の要部を中心にして概略的に示す断面図であり、図４（ｂ）は、図４（ａ）に示すエンボス加工装置の上側エンボス加工用歯車要部を中心にして概略的に示す平面図であり、又、図４（ｃ）は、図４（ａ）に示すエンボス加工装置の下側エンボス加工用ローラを中心にして概略的に示す平面図である。
【図５】図５（ａ）は、不織布（又は不織紙）の全面の両面に、複数の両面雌雄エンボス部の各々を形成すると同時に、ポリエチレンその他の樹脂膜を不織布（又は不織紙）に形成し、ラミネート構造とすることで、エンボス加工された、不織布（又は不織紙）に防水加工を施す工程を例示的に示しており、また、図５（ｂ）は、不織布（又は不織紙）の全面の片面に、エンボス部の各々を形成すると同時に、ポリエチレンその他の樹脂膜を不織布（又は不織紙）に形成し、ラミネート構造とすることで、エンボス加工された、不織布（又は不織紙）に防水加工を施す工程を例示的に示している。
【図６】図２に示す、ペット用糞便処理袋の側周面を形成する材料に、蛇腹の折り目加工を施した状態を模式的に示す図である。
【図７】図６に示す、蛇腹の折り目加工を施した、ペット用糞便処理袋の側周面を形成する材料に糊付けをする工程を摸式的に示す図である。
【図８】図８（ａ）は、袋の開口部を形成する上縁部に紐４を通した状態を模式的に示す斜視図であり、図８（ｂ）は、袋の側周面を折り畳んだ状態を模式的に示す斜視図である。
【図９】図１に示すペット用糞便処理袋の使用法の一例を説明する説明図である。
【図１０】従来のペットの排泄物収納器の使用状態を示す斜視図である。
【図１１】従来のペット用糞便処理袋の斜視図である。
【図１２】図１１に示す、従来のペット用糞便処理袋の使用状態を示す斜視図である。
【図１３】ペット用糞尿収容器具を概略的に示す斜視図である。
【符号の説明】
【００９３】
１  ペット用糞便処理袋
２  底部
３  側周面
４  紐
【図１】
2007159423.tif 000003
【図２】
2007159423.tif 000004
【図３】
2007159423.tif 000005
【図４】
2007159423.tif 000006
【図５】
2007159423.tif 000007
【図６】
2007159423.tif 000008
【図７】
2007159423.tif 000009
【図８】
2007159423.tif 000010
【図９】
2007159423.tif 000011
【図１０】
2007159423.tif 000012
【図１１】
2007159423.tif 000013
【図１２】
2007159423.tif 000014
【図１３】
2007159423.tif 000015